(57)【要約】【課題】  ネットワークアドレスを用いたＭＦＰスリープ解除時の省エネを達成する。【解決手段】  Ｐｒｉｎｔ，Ｓｃａｎ，Ｆａｘ，ネットワークコマンド制御など、動作ごとにＩＰアドレスを割り当てる。ＭＦＰがスリープしている際、ネットワークからパケットを受け取ると、ネットワークパケットのＩＰアドレスと、ジョブに割り当てられたアドレスを比較し、必要な回路や装置の電源を入れる。プリントジョブを示すＩＰアドレスを持ったパケットが来たら、定着器を含む印刷関連装置とプリンタ画像処理回路とコントローラのＣＰＵ，メモリなど、プリント動作に必要な回路のみをスリープから解除する。【選択図】  図２
2006245764.tif 000002
【特許請求の範囲】
【請求項１】
ネットワークに接続する手段と、複数のネットワークアドレスを割り当てることができることを特徴とし、ネットワークインターフェース部以外を部分毎に低消費電力状態、もしくは電源断状態にする手段を有する画像処理装置。
【請求項２】
前記請求項１に記載の割り当てられた複数のネットワークアドレスを画像処理のそれぞれの動作に対応させることを手段を有することを特徴とする請求項１に記載の画像処理装置。
【請求項３】
請求項２に記載の手段により動作に対応付けされたネットワークアドレスを受け付けた場合、動作の実行に必要な回路のみを低消費電力状態もしくは電源断状態から通常動作状態に移行することを特徴とする請求項１に記載の画像処理装置。
【請求項４】
請求項２に記載の複数のネットワークアドレスを画像処理の動作に対応させる手段がネットワークアドレス比較回路であることを特徴とする請求項１に記載の画像処理装置。
【請求項５】
請求項２に記載の画像処理の動作が画像データ通信、プリント動作、スキャン動作またはファクシミリ通信であることを特徴とする請求項１に記載の画像処理装置。
【発明の詳細な説明】
【技術分野】
【０００１】
本発明は、印刷装置、省電力、省エネ制御方法、ネットワークアドレスに関する。
【背景技術】
【０００２】
従来、１台のマルチファンクションプリンタ（以下ＭＦＰと記す）にはインターネットプロトコルアドレス（以下ＩＰアドレスと記す）が１つしか割り当てられていなかった。これは従来普及しているインターネットプロトコルヴァージョン４（以下ＩＰｖ４と記す）はアドレス量が豊富ではないため、アドレスの節約に起因している。そのため、ネットワークからジョブが送られてきた際、ＣＰＵをスリープから解除してネットワークパケットを解釈し、ジョブ内容を特定するとともに、ＭＦＰ各部の低消費電力状態から通常状態に移行させジョブを処理していた。
【０００３】
又、別の従来例としては、特許文献１及び特許文献２をあげることが出来る。
【特許文献１】特開２００４−２８８１５２号公報
【特許文献２】特開２００３−２１６６３１号公報
【発明の開示】
【発明が解決しようとする課題】
【０００４】
従来の方法によると、ネットワークからのジョブを解析しなければ、ジョブの種類がわからず、ＭＦＰの中でどの回路を低消費電力状態から通常状態に移行させれば良いのかが判断できなかった。そのため、ネットワークからジョブを受け付けたＭＦＰは、まずＣＰＵをスリープ状態から解除して、パケットの内容を解析することでＭＦＰのどの回路が用いられるかを判断していた。
【０００５】
しかしながら、この方法ではジョブの受信からＭＦＰのどの回路が必要かの判断にいたるまでにＣＰＵの起動、パケットの解析といった作業が必要になり、これらの作業は現在の技術でも数十秒から１分以上要する。そのため、パケットの受信からジョブの処理に必要なブロックの電源投入までのこの期間に有する電力消費が無駄であった。
【課題を解決するための手段】
【０００６】
上記問題を解決するための手段を以下に記す。
【０００７】
インターネットプロトコルヴァージョン６（以下ＩＰｖ６と記す）などはＩＰｖ４と比べてアドレスが豊富にあることから、これを用いてＭＦＰに割り当てるネットワークアドレスを従来の１装置１アドレスから１装置複数アドレスにする。また、複数アドレスを割り当てられるのであればＩＰｖ６にこだわらず、ＩＰｖ４やその他のネットワークアドレスであっても良い。
【０００８】
さらに、この複数のネットワークアドレスはそれぞれＭＦＰの持つ各機能（プリント、コピー、ＦＡＸ送信等）に対応づけしておく。動作１を示すアドレス１、動作２を示すアドレス２、動作３を示すアドレス３・・・といった具合である。ネットワークからこれらのうちの一つの動作を示すアドレスを指定してジョブが送られてきた際、ＣＰＵを起動させジョブの内容を解析させずにアドレス比較器で前記対応付けされたアドレスと比較させる。このアドレスはネットワークパケットの低位レイヤに属するため、その比較は簡単な回路で実現できる。そして、ＭＦＰのいずれかの機能を示すアドレスと判断され、その動作機能を実現するのに必要な部分（印刷、スキャナおよびそれらの制御回路等）を低消費電力状態から通常状態に移行させる。従来のように、パケットの高位レイヤに属するジョブ内容まで解析するにはＣＰＵを用いたソフトウェア的な解析処理が必要だが、このアドレス比較であれば簡単なハードウェア回路で実現できるため、処理が短時間で済み、省エネルギーを実現できる。
【発明の効果】
【０００９】
以上詳述したように本発明によれば、アドレスの比較という方法を用いることで、ＣＰＵをスリープから解除しなくとも、簡単な回路のみでジョブが特定でき、ジョブに基づいてスリープ解除すべきブロックを判断できる。その結果、スリープからの復帰を高速かつ低消費電力化することが可能となる。
【発明を実施するための最良の形態】
【００１０】
以下、本発明の実施の形態を、図面を参照して説明する。
【００１１】
（第１実施例）
図２は第１の実施の形態におけるマルチファンクションプリンタ（以下ＭＦＰと記す）２０１の構成を示すブロック図である。
【００１２】
２０２はＭＦＰ２０１の中でプリント機能を実現する印刷エンジンであり、２０３はプリンタ画像処理回路、２０５はプリンタ画像処理回路２０３を含むコントローラであり、２０４はコントローラ２０５のＣＰＵ、２０６はネットワークの物理層処理を行うマイクロチップ（以下ＰＨＹと記す）、２０７はアドレス比較および電源のコントロール部である。また、２１１はホストＰＣであり、２１０はホストＰＣ２１０とＭＦＰ２０１を接続するネットワークである。
【００１３】
図３は第１の実施の形態におけるアドレス対応表である。３０１はＩＰアドレスとジョブ種別、電源制御ブロックを対応付けた対応表であり、３０２はプリントジョブ用ＩＰアドレス、３０３はＦＡＸ通信用ＩＰアドレスである。
【００１４】
ホストＰＣ２１１上のあるデータを節電中のＭＦＰ２０１に印刷させたい場合、ホストＰＣ２１１はネットワーク２１０上に印刷ジョブ用のアドレス３０２宛にジョブパケットを送出する。ネットワーク２１０を介してＭＦＰ２０１に届いたパケットはＰＨＹ２０６を経由してアドレス比較器２０７、コントローラ２０５に受信される。ここで、アドレス比較器２０７によってどのジョブに対応するアドレスかが比較される。この場合、プリンタジョブアドレス３０２であると判断され、プリント動作に必要なプリンタ２０２、プリンタ画像処理回路２０３の電源がオンされる。しかる後に、パケット内の画像をプリンタ画像処理回路２０３、プリンタ２０２を用いて印刷する。
【００１５】
同様にホストＰＣ２１１上のあるデータを節電中のＭＦＰ２０１にＦＡＸ送信させたい場合、ホストＰＣ２１１はネットワーク２１０上にＦＡＸ通信用のアドレス３０３宛にジョブパケットを送出する。ネットワーク２１０を介してＭＦＰ２０１に届いたパケットはＰＨＹ２０６を経由してアドレス比較器２０７、コントローラ２０５に受信され、ＦＡＸ通信用アドレス３０３であると判断される。そして、ＦＡＸ通信動作に必要なＦＡＸ通信回路２０８やファクシミリ画像処理回路２０９の電源がオンされる。しかる後に、パケット内の画像をファクシミリ画像処理回路２０９、ＦＡＸ通信回路２０８を用いてＦＡＸ送信する。
【図面の簡単な説明】
【００１６】
【図１】従来のＭＦＰのスリープ起動を示すブロック図である。
【図２】第１の実施の形態におけるＭＦＰのスリープ起動を表すブロック図である。
【図３】第１の実施の形態におけるアドレス、ジョブ種別と電源制御ブロックの対応表。
【符号の説明】
【００１７】
１０１  マルチファンクションプリンタ（ＭＦＰ）
１０２  プリンタ（印刷機構部分）
１０３  プリント画像処理回路
１０４  ＣＰＵ
１０５  コントローラ
１０６  ネットワーク物理層処理回路（ＰＨＹ）
２０１  マルチファンクションプリンタ（ＭＦＰ）
２０２  プリンタ（印刷機構部分）
２０３  プリント画像処理回路
２０４  ＣＰＵ
２０５  コントローラ
２０６  ネットワーク物理層処理回路（ＰＨＹ）
２０７  アドレス比較回路および電源制御装置
２０８  ＦＡＸ通信回路
２０９  ファクシミリ画像処理回路
２１０  ネットワーク
２１１  ホストＰＣ
３０１  アドレス−ジョブ種別−電源制御、対応表
３０２  プリントジョブ用アドレス
３０３  ファクシミリジョブ用アドレス
【図１】
2006245764.tif 000003
【図２】
2006245764.tif 000004
【図３】
2006245764.tif 000005